(57)【要約】【課題】サージ保安エレメントを取り去ったりあるいはサージ保安ユニットマガジンを取り外したりすることなく、依然として分路または測定が可能とする差込型サージ保安ユニットを提供する。【解決手段】本発明は、特に電気通信・データ技術分野において、はんだ付け、切断および絶縁被覆の剥ぎ取りなしにコンポーネントと回線とを接続する接点盤用の、接点盤との接続ならびにそれぞれの電路の切り離しおよびそれぞれの電路へのサージ保安エレメントの挿入を行うための電気接点エレメントを有したマガジンと接地レールまたは接地端子とを含み、マガジンは差込部とケーシング本体とを有し、ケーシング本体はサージ保安エレメントを収容し、差込部は接点盤に嵌入するように構成した差込型サージ保安ユニットに関する。本発明により、差し込まれた状態において可視的なマガジンの上側面は、それぞれ接点差込盤のプラグ面に対応しかつ該差込盤と接続された直接に接近可能な接点差込を有している。さらに、第一のサージ保安エレメントはマガジンの接点差込の側方にそれぞれ隣接して配置されている。差込部のそれぞれの接点エレメントとそれぞれの第一のサージ保安エレメントとの間には接点ブリッジまたは接点ピースの形の電気的接続が行われている。【選択図】図１
2008511224.tif 000002
【特許請求の範囲】
【請求項１】
特に電気通信・データ技術分野において、はんだ付け、切断および絶縁被覆の剥ぎ取りなしにコンポーネントと回線とを接続する接点盤用の、接点盤との接続ならびにそれぞれの電路の切り離しおよびそれぞれの電路へのサージ保安エレメントの挿入を行うための電気接点エレメントを有したマガジンと接地レールまたは接地端子とを含み、マガジンは差込部とケーシング本体とを有し、ケーシング本体はサージ保安エレメントを収容し、差込部は接点盤に嵌入するように構成した差込型サージ保安ユニットであって、
差し込まれた状態において可視的なマガジン（１）の上側面は、それぞれ接点差込盤のプラグ面に対応しかつ該差込盤と接続された直接に接近可能な接点差込（２）を有し、
さらに、第一のサージ保安エレメント（４）はマガジン（１）の接点差込（２）の側方にそれぞれ隣接して配置され、
差込部（３）のそれぞれの接点エレメントとそれぞれの第一のサージ保安エレメント（４）との間に接点ブリッジまたは接点ピースの形の電気的接続が行われていることを特徴とする差込型サージ保安ユニット。
【請求項２】
請求項１において、
第二のサージ保安エレメント（７）を有するサージ保安ユニットプラグ部（６）が設けられ、このプラグ部（６）はマガジン（１）上に載設される際に上方から同所の接点差込（２）に嵌入する差込板（２０）を含んでいることを特徴とする差込型サージ保安ユニット。
【請求項３】
請求項２において、
サージ保安ユニットプラグ部（６）は、サージ保安エレメント（７）用の配線キャリアを含む２体式ケーシング（２２）を有し、該ケーシングから突き出した配線キャリアの自由端は差込板（２０）を形成することを特徴とする差込型サージ保安ユニット。
【請求項４】
請求項２または３において、
サージ保安ユニットプラグ部（６）に接地Ｕ形板（２１）が設けられていることを特徴とする差込型サージ保安ユニット。
【請求項５】
請求項３および４において、
ケーシング（２２）は、接地Ｕ形板（２１）に対する電気的接触を保証するため、差込板（２０）の方向に向いた開口（２３）を有することを特徴とする差込型サージ保安ユニット。
【請求項６】
請求項１から５までにおいて、
接地Ｕ形板（２１）は接地中継部品（９）を介して接地レールと接触可能であることを特徴とする差込型サージ保安ユニット。
【請求項７】
請求項１から６までのいずれか１項において、
中間フレーム（８）はマガジン（１）上に載設されて同所に固定可能であり、かつ中間フレーム（８）は多数のサージ保安ユニットプラグ部（６）を収容して固定ないし掴持することを特徴とする差込型サージ保安ユニット。
【請求項８】
請求項７において、
接地中継部品（９）は中間フレーム（８）に保持されていることを特徴とする差込型サージ保安ユニット。
【請求項９】
前記請求項のいずれか１項において、
第一のサージ保安エレメント（４）はそれぞれ端子接点または弾性接点を介して電気的に接続されるとともに機械的に固定される２極または３極ガスサプレッサとして形成され、マガジン本体は組付けおよび検査のために側方および／または上方からガスサプレッサに接近し得るように形成されていることを特徴とする差込型サージ保安ユニット。
【請求項１０】
請求項２から５までのいずれか１項において、
サージ保安ユニットプラグ部（６）内の第二のサージ保安エレメント（７）は第一のサージ保安エレメント（４）に対応した二次保安［Ｆｅｉｎｓｃｈｕｔｚ］と減結合インピーダンスとからなる保安回路を含むことを特徴とする差込型サージ保安ユニット。
【請求項１１】
請求項２、３、４、５または１０のいずれか１項において、
サージ保安ユニットプラグ部（６）は接点差込盤上に直接載設することもできることを特徴とする差込型サージ保安ユニット。
【発明の詳細な説明】
【技術分野】
【０００１】
本発明は、特に電気通信・データ技術分野において、はんだ付け、切断および絶縁被覆の剥ぎ取りなしにコンポーネントと回線とを接続する接点盤用の、接点盤との接続ならびにそれぞれの電路の切り離しおよびそれぞれの電路へのサージ保安エレメントの挿入を行うための電気接点エレメントを有したマガジンと接地レールまたは接地端子とを含み、マガジンは差込部とケーシング本体とを有し、ケーシング本体はサージ保安エレメントを収容し、差込部は接点盤に嵌入するように構成した、請求項１に記載の上位概念に基づく差込型サージ保安ユニットに関する。
【背景技術】
【０００２】
電気通信分野における接続システムの目下の標準は、回線とコンポーネントとの非常に速やかでスムーズかつ確実な接続を可能にするいわゆるＬＳＡ−ＰＬＵＳ（クローネ・ゲーエムベーハー［Ｋｒｏｎｅ  ＧｍｂＨ］社登録商標）によって特徴づけられている。ここで“ＬＳＡ”とは、はんだ付け、切断および絶縁被覆の剥ぎ取りのないハンドリングとして理解される。ＬＳＡ−ＰＬＵＳ−技法において、接点は基本的に４５°の角度をなしているため、より好適な接触が可能であるとともにケーブルの応力除去の改善がされている。
【０００３】
ＬＳＡ−ＰＬＵＳ−技法において、端子盤、分離盤、接地配線盤および類似の接点盤が公知である。分離盤にあっては、簡単なプラグで接続を分離して、切り換えまたは接続の迂回を行うことが可能である。端子盤にあっては、プラグの容易な挿入によって切り換えを行うことができる。接地盤とも称される接地配線盤にあっては、エネルギー量を大地の方向に適切に導いて、接続されている通信システムの破壊を回避するために、さまざまなコンポーネントまたは回線をも、使用可能なサージ保安システムに必要な同じ接地電位にもたらすために使用される。
【０００４】
フェニックス・コンタクト・ゲーエムベーハー・ウント・コ・カーゲー［Ｐｈｏｅｎｉｘ  Ｃｏｎｔａｃｔ  ＧｍｂＨ  ＆  Ｃｏ．ＫＧ］社、ブロンベルク、のＣＯＭＴＲＡＢサプレッサに関するＬＳＡ−ＰＬＵＳ−盤用差込型サージ保安器の製品情報は１〜１０本の二線形回線ないし２〜２０本の単線形回線用のサージ保安プラグを示している。
【０００５】
同所には代表的な使用形態として、ＬＳＡ−ＰＬＵＳ−分離盤または開閉盤を有する分路配電盤が指摘されている。ＣＯＭＴＲＡＢサージ保安ユニットマガジンはきわめて多様な保安プラグとコンビネーションすることが可能である。マガジン自体は１０本までのサージ保安プラグの収容能力を有し、保安回路は可逆電流保安コンポーネントと、フェールセーフ接点を備えた高性能ガス放電サプレッサとから構成されている。
ＬＳＡ−ＰＬＵＳ−分離盤または開閉盤にサージ保安プラグを差し込むことにより、分離と同時に電路への保安回路の挿入が行われる。
【０００６】
ＣＯＭＴＲＡＢユニットにおける電位平衡接続はマガジン内に組込まれた接地レールによって実現される。
【０００７】
フェニックス社の差込型サージ保安器ＣＯＭＴＲＡＢの短所は、ＬＳＡ−ＰＬＵＳ−端子盤への保安プラグの差込によって、分路、分離および測定のためにもはや端子盤に接近することができないという事実である。もしも測定を行おうとすれば、それぞれのサージ保安エレメントないしサージ保安プラグまたはサージ保安ユニットマガジン全体さえもＬＳＡ−ＰＬＵＳ−盤から取り去らなければならない。
【０００８】
サージ保安部品および／またはスクリーン部品との導電接続を行うための、接地エレメントの組込まれた電気通信技術用端子盤のさらにその他の実施形態に関しては、たとえばドイツ登録実用新案第２００  ００  ５０６号［ＤＥ  ２００  ００  ５０６  Ｕ１］明細書を参照されたい。
【０００９】
組付けフレームへの接点盤の取り付けに関してはドイツ特許第１９８  ８１  ２７３号［ＤＥ  １９８  ８１  ２７３  Ｃ２］明細書、回路板組付け用の接点差込付き接点盤の実施形態に関しては欧州公開第１  ２８６  ４２０号［ＥＰ  １  ２８６  ４２０  Ａ２］明細書に注意されたい。
【００１０】
従来の技術からさまざまな構造タイプのサージ保安器が公知である。一方では、ガス放電サプレッサを収容するサージ保安ユニットマガジンが存在し、他方では、一次保安エレメント［Ｇｒｏｂｓｃｈｕｔｚｅｌｅｍｅｎｔ］と二次保安エレメント［Ｆｅｉｎｓｃｈｕｔｚｅｌｅｍｅｎｔ］のコンビネーションを含んだサージ保安器が知られている。これらの装置は１本の二線形回線回路から１０本の二線形回線回路向けまでの前述した構造仕様のものがつくられる。
【００１１】
サージ保安ユニットマガジンに関する従来の技術に関しては、たとえばＰＣＴ／ＥＰ９９／第０２６２１号明細書、ドイツ公開第１９９  １７  ８２４号［ＤＥ  １９９  １７  ８２４  Ａ１］明細書およびドイツ公開第１９９  ００  ７５９号［ＤＥ  １９９  ００  ７５９  Ａ１］明細書を参照されたい。
【００１２】
分離も可能な形の、一次保安と二次保安とのコンビネーションによるサージ保安器はドイツ公開第１００  ０７  １７３号［ＤＥ  １００  ０７  １７３  Ａ１］明細書に、あるいは、二線形回線用のサージ保安器の内部構造に関しては欧州特許第０  ７９７  ３７９号［ＥＰ  ０  ７９７  ３７９  Ｂ１］明細書に開示されている。
【００１３】
１接点盤のすべてのサージ保安器を収容する集合接地を介しての二線形回線用サージ保安器の接地接続は欧州特許第１  ２９０  ７６０号［ＥＰ  １  ２９０  ７６０  Ｂ１］明細書によって示されている。
【００１４】
上述した従来の技術に関しては、一方で、ＬＳＡ−ＰＬＵＳ−技法が非常に広まっており、他方で、マガジンに収容されるサージ保安プラグの形の、この種の盤用の差込型サージ保安モジュールが公知である旨確認することができる。
ただし、公知の技術において、さもない場合に所与の接点盤接点に対する接近容易性はサージ保安器が載設されるともはや実現されない。
【００１５】
目下市場において入手可能なサージ保安器は、ガス放電サプレッサを収容するサージ保安ユニットマガジンとして設計されているか、または単一の装置に一次および二次保安ならびに所要の減結合インピーダンスを含んでいるものである。
【００１６】
サージ保安ユニットマガジンと、二次保安エレメントを有するサージ保安器とのコンビネーションは従来の技術において電気的にも、また機械的にも実現されていず、また構造的な変更なしには容易に実現することもできない。
【発明の開示】
【発明が解決しようとする課題】
【００１７】
したがって上記の理由から本発明の目的は、特に電気通信・データ技術分野において、はんだ付け、切断および絶縁被覆の剥ぎ取りなしにコンポーネントと回線とを接続する接点盤用の発展改良された差込型サージ保安ユニットであって、サージ保安ユニットが接点盤に使用される際に同所に所在する接点は覆われることがないために、サージ保安エレメントを取り去ったりあるいはサージ保安ユニットマガジンを取り外したりすることなく、依然として分路または測定が可能であるように構成した差込型サージ保安ユニットを提供することである。
【課題を解決するための手段】
【００１８】
本発明の課題は、請求項１に記載の特徴コンビネーションに基づく、はんだ付け、切断および絶縁被覆の剥ぎ取りなしにコンポーネントと回線とを接続する接点盤用の差込型サージ保安ユニットによって解決される。ここで従請求項は少なくとも好適な実施態様および発展態様を含んでいる。
【００１９】
したがって本発明の基本思想は、差し込まれた状態において可視的なマガジンの上側面は直接に接近可能な接点差込を有し、該接点差込はそれぞれ接点差込盤のプラグ面に対応しかつ前記の差し込まれた状態において該差込盤と電気的に接続されていることにある。
【００２０】
さらに、第一のサージ保安エレメントはマガジンの接点差込の側方に、好ましくは両側に、隣接して配置されている。
【００２１】
差込部のそれぞれの接点エレメントと第一のサージ保安エレメントとの間に接点ブリッジまたは接点ピースの形の電気的接続が行われている。
【００２２】
本発明の発展態様において、第二のサージ保安エレメントを有する付加的なサージ保安ユニットプラグ部が設けられ、このプラグ部はマガジン上に載設される際に上方から同所の自由接点差込に嵌入する差込板を含んでいる。
【００２３】
このサージ保安ユニットプラグ部は、第二のサージ保安エレメント用の配線キャリアを含む好ましくは２体式のケーシングを有する。
この場合、ケーシングから突き出した配線キャリアの自由端は、総部品点数を最少化するために、差込板を形成する。
【００２４】
サージ保安ユニットプラグ部には、さらに、好ましくは金属成形品からなる接地Ｕ形板が設けられている。
【００２５】
サージ保安ユニットプラグ部のケーシングは、接地Ｕ形板に対する電気的接触のためのアクセスを保証するため、差込板の方向に向いた開口を有している。
【００２６】
接地Ｕ形板自体も接地中継部品を介して接地レールと接触可能である。
【００２７】
本発明により、中間フレームはマガジン上に載設されて同所に固定可能であり、かつ中間フレームは多数のサージ保安ユニットプラグ部を収容して固定する。この場合、先ず最初に中間フレームが載設され、続いてサージ保安ユニットプラグ部の差し込みが行われるか、あるいはプラグ部をすでに差し込んだ後に中間フレームがこのプラグ部を越えて嵌め込まれてもよい。
【００２８】
図示接地中継部品ないし多数の接地中継部品は中間フレーム内に配されて同所に固定されている。これらの接地中継部品は同じく金属製の押し抜き曲げ成形品として形成されていてよい。
【００２９】
本発明の好ましい１実施形態および発展態様において、第一のサージ保安エレメントはそれぞれ端子接点または弾性接点を介して電気的に接続されるとともに機械的に固定された２極または３極ガスサプレッサとして形成されている。
【００３０】
マガジン本体は組付けおよび検査のために側方および／または上方からガスサプレッサに容易に接近し得るように形成されている。
【００３１】
サージ保安ユニットプラグ部内の第二のサージ保安エレメントは第一のサージ保安エレメントに対応した二次保安エレメントと減結合インピーダンスとからなる保安回路を含んでいる。
【００３２】
本発明の好ましい発展態様において、自由に接近し得る付加的な接点差込を有する別個に形成されたマガジンを使用せずに、サージ保安ユニットプラグ部をＬＳＡ−接点差込盤に直接載設することが可能である。こうして、サージ保安ユニットプラグ部をサージ保安のための総システムの１モジュールコンポーネントとして使用することが可能である。
【００３３】
発展改良されたサージ保安ユニットマガジンは総じて、その上側面にＬＳＡ−ＰＬＵＳ−接点盤のプラグ面に対応する仕様の接点対を含む接点ユニットが形成されるように構成される。したがって、このように構成されたサージ保安器のこの種の接点ユニットには、たとえば分路コードまたはその他のＬＳＡ−ＰＬＵＳ−システムの付属品に使用されるような標準ＬＳＡ−ＰＬＵＳ−接点プラグが嵌合する。
【００３４】
ＬＳＡ−ＰＬＵＳ−接点盤の場合もそうであるように、これらの接点対を中央に配置することができるように、第一のサージ保安エレメント、好ましくはガスサプレッサは接点の両側に配置される。サージ保安ユニットマガジンの当該収容域が３極ガス放電サプレッサあるいはまた２極サプレッサの前述した収容を可能にする。
【００３５】
提案されたサージ保安ユニットマガジンは、それぞれ１本の二線形回線用のプラグ部が差し込まれる、１０本までに及ぶ複数本の二線形回線用に利用することができる。
【００３６】
サージ保安ユニットマガジンとプラグ部との間の差込接続は、前述したように、ＬＳＡ−ＰＬＵＳ−端子盤に適合するように形成されている。したがって、上側面の接点はＬＳＡ−ＰＬＵＳ−差込システムの差し込みが容易に行えるように形成されている。
【発明の効果】
【００３７】
汎用のサージ保安ユニットマガジンとコンビネーションされた異なった二次保安エレメントを備えたプラグ部により、ユーザはそれぞれの装置に最適化されたサージ保安を設定することが可能であり、その際、プラグ部は追加装備することができるため、装置の変更に合わせた適合化が容易に可能である。
【００３８】
本発明によるサージ保安ユニットマガジンの上側面の接点はＬＳＡ−ＰＬＵＳ−端子盤の接点の機能を引き受けることから、保守作業たとえば分離、測定および分路は、サージ保安ユニットマガジンを差し込んだ状態で、同所においてサージ保安エレメントが機能している場合にも、実施することができる。
【００３９】
プラグ部の接地接触をサージ保安ユニットマガジンを越えて組付けケーシングに対して行うことができるとのことも本発明の趣旨の範囲内にある。
【発明を実施するための最良の形態】
【００４０】
以下、１実施例に基づき、かつ図面を援用して、本発明を詳細に説明する。
【００４１】
図１に示したように、サージ保安ユニットマガジン１はその上側面に、接近可能な接点差込２が位置するようにして形成されている。差込部３の接点は上方から接近可能なこの接点差込ユニットと電気的に接続している。したがって、差込部３の接点は従来のサージ保安ユニットマガジンの場合と同様にサージ保安エレメントたとえばガス放電サプレッサと接続されるだけでなく、同時に、通例のＬＳＡ−ＰＬＵＳ−接点盤のプラグ面に対応する仕様の当該接点対も形成される。
【００４２】
したがって、接点差込２には、たとえば分路コードまたはその他のＬＳＡ−ＰＬＵＳ−付属品に使用されるようなＬＳＡ−ＰＬＵＳ−接点プラグが嵌合する。
【００４３】
マガジン１は接点差込の両側にある、たとえば２極または３極ガス放電サプレッサの形のサージ保安エレメントを収容している。
【００４４】
サージ保安ユニットプラグ部６は、二次保安エレメントと減結合インピーダンス７とを収容する配線キャリア２０を有している。サージ保安ユニットプラグ部６は、図１３から看取されるように、内部に配線キャリア２０と接地Ｕ形板２１とを収容する２つのプラスチックセミケーシングからなっている。
【００４５】
ケーシング２２は、ケーシング内にある接地Ｕ形板２１に対する電気的接触を保証するため、配線キャリア２０の末端として形成されていてよい差込板の方向に向いた開口２３を有している。
【００４６】
接地Ｕ形板２１は接地中継部品９を経て、図４に示したＰＥ接点と電気的に接触している。
【００４７】
図１ないし１２に示した中間フレーム８は同じくプラスチック射出成形品またはプラスチックプレス成形品からなり、複数のサージ保安ユニットプラグ部６を収容、包囲して、機械的に固定することができる。
【００４８】
サージ保安ユニットプラグ部６の二次保安エレメントおよび減結合インピーダンスは、第一のサージ保安エレメントとして機能する一次保安エレメントに対してエネルギー的に整合されているため、それぞれの保安前提条件への容易な適合化が可能になる。
【００４９】
サージ保安ユニットプラグ部にはそれぞれ１本の二線形回線用に当該サージ保安エレメントが存在している。したがって、たとえば１０本の二線形回線用に設計されているサージ保安システムにはたとえば１０個のサージ保安ユニットプラグ部６を取付けることができる。
【００５０】
図２は、電気的接触と、３極ガスサプレッサまたは２極ガスサプレッサの機械的保持とに使用される収容域５を有した、図１に示したマガジンを上方から眺めた図である。
【００５１】
図３には、ケーシングカバーを取り去った、ただし接地Ｕ形板１１の付されたサージ保安ユニットマガジン１が表されている。
【００５２】
図７および９に示した押し抜き曲げ成形品の形の、一次保安エレメント入力側用の接点は、一方で、一次保安として機能する第一のサージ保安エレメントが接触可能であるとともに機械的に固定可能であり、他方で、付加的な、上方から自由に接近し得る接点差込が、しかもＵ形のタング部品によって生ずるようにする、二重の機能を果たしている。
【００５３】
図４および６〜９に示した接点エレメントは、図１４から看取されるように、マガジン下部（図１０）の当該窪みおよび穴に挿入、固定が可能であることから、サージ保安ユニットの製造・組付けは低コストでかつ高い自動化度で実現することができる。
【図面の簡単な説明】
【００５４】
【図１】本発明によるマガジンと、その上方に位置する中間フレームならびに図の上部に示したサージ保安ユニットプラグ部との断面図である。
【図２】中央に配置された自由に接近し得る接点差込と、第一のサージ保安エレメント用のそれぞれ隣接した収容部とを有した、図１に示した装置の平面図である。
【図３】接地Ｕ形板が側方に挿入されたサージ保安ユニットマガジンをケーシング開放状態で上方から眺めた図である。
【図４】一次保安エレメント用のＰＥ接点としての押し抜き曲げ成形品の概観図ならびに詳細図である。
【図５】サージ保安ユニットプラグ部においてＰＥ接点用の押し抜き曲げピースとして使用される接地Ｕ形板の考えられ得る１実施形態を示す図である。
【図６】中間フレームに挿入可能な差込側用ＰＥ板としての押し抜き曲げ成形品を示す図である。
【図７】マガジン内で使用される、第一のサージ保安エレメントとしての一次保安エレメント用の接点としての種々の弾性プラグ板を示す図であり、同図から、これらの接点はサージ保安エレメントの電気的・機械的接続と固定とに使用されるとともに、Ｕ形板の領域において、自由に接近し得る付加的な接点差込を形成することが看取される。
【図８】図７と同様な、ただし一次保安エレメント用のもっと長い接点Ｕ形板を有する１実施形態を示す図である。
【図９】一次保安エレメント用の、ただし出力側の接点を示す図である。
【図１０】一次保安エレメントと当該接点および接続部品を収容するためのマガジンのケーシング下部の透視図である。
【図１１】図４、６ならびに７〜９に示した接点エレメントを収容するための窪みを備えたケーシングカバーとしてのマガジンの上部を示す図である。
【図１２】多数のサージ保安ユニットプラグ部を保持、掴持するための中間フレームの透視図である。
【図１３】２つのセミケーシングと接地Ｕ形板および配線キャリアを有したサージ保安ユニットプラグ部の分解図である。
【図１４】ケーシング上部を取り去った、ただし一次保安用のサージ保安エレメントを収容するためのすべての接点エレメントと、同様にプラグ接点盤のプラグ面に対応して形成された接近可能な接点差込とを有したマガジンを示す図である。
【符号の説明】
【００５５】
１     マガジン
２     付加的な、自由に接近し得る接点差込
３     差込部
４     第一のサージ保安エレメント（一次保安）
５     サージ保安ユニットマガジンの収容域
６     サージ保安ユニットプラグ部
７     第二のサージ保安エレメント（二次保安）
８     中間フレーム
９     接地中継部品
１０〜１１    フレーム状の接地Ｕ形板
２０   サージ保安ユニットプラグ部の配線キャリアないし差込板
２１   サージ保安ユニットプラグ部の接地Ｕ形板
２２   サージ保安ユニットプラグ部のケーシング
２３   ケーシング２２の開口
【図１】
2008511224.tif 000003
【図２】
2008511224.tif 000004
【図３】
2008511224.tif 000005
【図４】
2008511224.tif 000006
【図５】
2008511224.tif 000007
【図６】
2008511224.tif 000008
【図７】
2008511224.tif 000009
【図８】
2008511224.tif 000010
【図９】
2008511224.tif 000011
【図１０】
2008511224.tif 000012
【図１１】
2008511224.tif 000013
【図１２】
2008511224.tif 000014
【図１３】
2008511224.tif 000015
【図１４】
2008511224.tif 000016
【国際調査報告】
2008511224.tif 000017
2008511224.tif 000018
2008511224.tif 000019
2008511224.tif 000020
2008511224.tif 000021
2008511224.tif 000022